(57)【要約】【課題】処理液原料や処理液が手に付着することなく、しかも容器の開封時に処理液原料が装置のまわりに飛散することがない感光材料処理液調製装置、およびこの装置に適した収納容器を提供する。【解決手段】感光材料の現像液および定着液を調製する溶解部１１，１２と、溶解部１１，１２から上方に延びる現像剤供給経路１３および定着剤供給経路１４と、これら供給経路の上端に供給された現像剤容器１５および定着剤容器１６を各供給経路内で昇降させる昇降手段１７，１８と、各供給経路内に配設され、現像剤容器１５および定着剤容器１６を切開して開封する開封手段１９，２０とを具備する感光材料処理液調製装置。【選択図】　　　　図１
2004038085.tif 000002
【特許請求の範囲】
【請求項１】
感光材料の処理液を調製する溶解部と、
溶解部から上方に延びる処理液原料供給経路と、
処理液原料供給経路の上端に供給された、処理液原料が収納された収納容器を処理液原料供給経路内で昇降させる昇降手段と、
処理液原料供給経路内に配設され、収納容器を切開して開封する開封手段とを具備することを特徴とする感光材料処理液調製装置。
【請求項２】
開封された収納容器の内部を、容器が処理液原料供給経路内に降下した状態で洗浄する洗浄手段を具備することを特徴とする請求項１記載の感光材料処理液調製装置。
【請求項３】
開口面を有する容器本体と、前記開口面の外周の少なくとも一部に設けられたフランジ部と、前記開口面を覆うようにフランジ部に貼着された蓋材とを有し、
前記フランジ部には、蓋材が貼着された側とは反対側に突起部が形成されており、
前記突起部は、外側に傾斜した傾斜面を有するものであることを特徴とする収納容器。
【発明の詳細な説明】
【０００１】
【発明の属する技術分野】
本発明は、感光材料の処理液を調製する感光材料処理液調製装置、およびこの感光材料処理液調製装置において使用される処理液原料を収納する収納容器に関する。
【０００２】
【従来の技術】
写真などの感光材料を処理する処理液、例えば、現像液、定着液などは、処理機おいて感光材料を処理するにしたがい劣化するため、処理液を新しくするか、または感光材料の処理量に応じて処理液を処理機の処理槽に補充することが必要となる。
【０００３】
粉粒状の薬剤を用いる補充用の処理液（以下、補充液と記す）の調製および処理機への補充は、従来、粉粒状の処理液原料（例えば、現像剤、定着剤）を所定量の溶媒に溶解して補充液を調製し、補充液を、処理機に一体化または処理機とは別にサブタンクとして設けられている貯蔵タンクに移送してストックしておき、必要に応じて処理槽へ供給することによって行われる。
【０００４】
このような補充液の調製および貯蔵タンクへのストックを作業者の手で行うと、補充液を調製する際に粉粒状の処理液原料が収納された容器を開封するとき、また、調製した補充液を貯蔵タンクにストックするときなど、処理液原料や処理液が手に付着する、手間がかかるなどの欠点があった。写真の処理液は、強アルカリ性もしくは酸性のため、手に付着することを避けなければならない。
【０００５】
そこで、処理液原料が収納された容器の開封、補充液の調製および処理槽への供給などを自動化し、処理液原料や処理液が手に付着することなく、作業効率を上げることができる溶液製造装置が、特開２０００−２０６６６０などに提案されている。この溶液製造装置は、装置上面の搬送路上にストックされている、処理剤が収納された容器を、搬送路終端の開封部に搬送し、開封部の投入開口から開封刃を上方に突出させて容器底部のフィルム状の蓋材を切開して、容器を開封し、容器に収納されている処理剤を投入開口から下方の溶解タンクに落下させ、溶解タンク内で処理剤を溶媒に溶解させるものである。
【０００６】
【発明が解決しようとする課題】
しかしながら、この溶液製造装置においては、容器の開封が装置上面にて行われるため、開封時に装置と容器の間から処理剤の微粉末が漏れだし易く、漏れだした微粉末が装置のまわりに飛散してしまうという問題があった。
また、処理剤が取り出された後の容器の内側には、処理剤が付着しており、容器を処分する際に、作業者の手に処理剤が付着するおそれがあった。
【０００７】
よって、本発明の目的は、処理液原料が収納された容器の開封、補充液の調製を自動化し、処理液原料や処理液が手に付着することなく、作業効率を上げることができ、しかも容器の開封時に処理液原料が装置のまわりに飛散することがない感光材料処理液調製装置、およびこの装置に適した収納容器を提供することにある。
【０００８】
【課題を解決するための手段】
本発明の感光材料処理液調製装置は、感光材料の処理液を調製する溶解部と、溶解部から上方に延びる処理液原料供給経路と、処理液原料供給経路の上端に供給された、処理液原料が収納された容器を処理液原料供給経路内で昇降させる昇降手段と、処理液原料供給経路内に配設され、容器を切開して開封する開封手段とを具備することを特徴とするものである。
また、本発明の感光材料処理液調製装置は、さらに、開封された容器の内部を、容器が処理液原料供給経路内に降下した状態で洗浄する洗浄手段を具備することが望ましい。
【０００９】
また、本発明の収納容器は、開口面を有する容器本体と、前記開口面の外周の少なくとも一部に設けられたフランジ部と、前記開口面を覆うようにフランジ部に貼着された蓋材とを有し、前記フランジ部には、蓋材が貼着された側とは反対側に突起部が形成されており、前記突起部は、外側に傾斜した傾斜面を有することを特徴とするものである。
【００１０】
【発明の実施の形態】
以下、本発明を具体的に説明する。
図１は、本発明の感光材料処理液調製装置の一例を示す正面断面図、図２は、本発明の感光材料処理液調製装置の一例を示す側断面図、図３は、本発明の感光材料処理液調製装置の一例を示す上面図である。
この感光材料処理液調製装置は、筐体１０と、筐体１０内に配置された、現像液（処理液）を調製する溶解部１１と、筐体１０内に配置された、定着液（処理液）を調製する溶解部１２と、溶解部１１から上方に延び、上端が筐体１０の上面に開口した現像剤供給経路１３（処理液原料供給経路）と、溶解部１２から上方に延び、上端が筐体１０の上面に開口した定着剤供給経路１４（処理液原料供給経路）と、現像剤供給経路１３の上端に供給された、現像剤（処理液原料）が収納された現像剤容器１５（収納容器）を現像剤供給経路１３内で昇降させる昇降手段１７と、定着剤供給経路１４の上端に供給された、定着剤（処理液原料）が収納された定着剤容器１６（収納容器）を定着剤供給経路１４内で昇降させる昇降手段１８と、現像剤供給経路１３上端よりもやや下方の現像剤供給経路１３内に配設され、現像剤容器１５を切開して開封する開封刃１９（開封手段）と、定着剤供給経路１４上端よりもやや下方の定着剤供給経路１４内に配設され、定着剤容器１６を切開して開封する開封刃２０（開封手段）と、開封された現像剤容器１５の内部を、現像剤容器１５が現像剤供給経路１３内に降下した状態で洗浄する洗浄手段２１と、開封された定着剤容器１６の内部を、定着剤容器１６が定着剤供給経路１４内に降下した状態で洗浄する洗浄手段２２と、現像剤が収納された現像剤容器１５を現像剤供給経路１３の上端の開口に供給し、現像剤が取り出された空の現像剤容器１５を現像剤供給経路１３の上端の開口から搬出する搬送部２３と、定着剤が収納された定着剤容器１６を定着剤供給経路１４の上端の開口に供給し、定着剤が取り出された空の定着剤容器１６を定着剤供給経路１４の上端の開口から搬出する搬送部２４と、装置全体を制御する制御部（図示略）とを具備して概略構成されるものである。
【００１１】
前記溶解部１１は、現像剤を水などの溶媒に溶解させて感光材料の現像液を調製する溶解タンク２５と、溶解タンク２５内を攪拌する攪拌翼２７および攪拌モータ２９からなる攪拌装置と、溶解タンク２５の下方に配置され、溶解タンク２５にて調製された現像液を貯留する貯留タンク３１と、貯留タンク３１内の現像液を、装置外に設置された、感光材料を処理する処理機（図示略）に供給する供給管３３と、溶解タンク２５に溶媒を供給する給水管（図示略）とを具備するものである。
また、前記溶解部１２は、定着剤を水などの溶媒に溶解させて感光材料の定着液を調製する溶解タンク２６と、溶解タンク２６内を攪拌する攪拌翼２８および攪拌モータ３０からなる攪拌装置と、溶解タンク２６の下方に配置され、溶解タンク２６にて調製された定着液を貯留する貯留タンク３２と、貯留タンク３２内の定着液を、装置外に設置された、感光材料を処理する処理機（図示略）に供給する供給管３４と、溶解タンク２５に溶媒を供給する給水管（図示略）とを具備するものである。
【００１２】
ここで、前記現像剤容器１５および定着剤容器１６として使用される収納容器は、図４〜図７に示されるように、開口面を有する箱状の容器本体３５と、前記開口面の外周に設けられたフランジ部３６と、前記開口面を覆うようにフランジ部３６に貼着された蓋材３７とを有するものである。また、前記フランジ部３６には、蓋材３７が貼着された側とは反対側に２条の突起部３８が、容器本体を挟んで形成されており、前記突起部３８は、外側に傾斜した傾斜面３９を有しており、突起部３８の外側とフランジ部の周縁とが同一面とされている。
【００１３】
前記現像剤供給経路１３は、上端の開口が現像剤容器１５のフランジ部３６の外周よりもやや大きくされた経路上部１３ａと、開封刃１９よりも下方に向かうに従ってしだいに幅が狭くされた経路中部１３ｂと、溶解タンク２５に接続する経路下部１３ｃからなる角筒状の管である。
また、前記定着剤供給経路１４は、上端の開口が定着剤容器１６のフランジ部３６の外周よりもやや大きくされた経路上部１４ａと、開封刃２０よりも下方に向かうに従ってしだいに幅が狭くされた経路中部１４ｂと、溶解タンク２６に接続する経路下部１４ｃからなる角筒状の管である。
【００１４】
前記昇降手段１８は、図８および図９に示すように、定着剤供給経路１４の経路上部１４ａに固定されたメインフレーム４０と、定着剤容器１６フランジ部３６が挿入される、定着剤容器１６の搬送方向に沿った断面コの字形のフランジガイド４１が先端に設けられ、このフランジガイド４１から上方に延びる容器ホルダ部４２，４２と、容器ホルダ部４２の終端から、定着剤供給経路１４の外周壁に沿って下方に延び、下部が前方に屈曲したホルダ支持部４３，４３と、ホルダ支持部４３，４３の終端を連結する水平連結部４４と、メインフレーム４０の下部に固定されたモータ４５と、モータ４５の回転速度を調節するギヤ（図示略）と、ギヤの回転軸に接続されたクランク４６と、一端が水平連結部４４の中央に回転可能に軸支され、他端がクランク４６の回転端に回転可能に軸支されたアーム部４７とを有するものである。
【００１５】
この昇降手段１８においては、モータ４５の回転に伴ってクランク４６が回転すると、クランク４６の回転端にアーム部４７によって連結されている水平連結部４４がメインフレーム４０に沿って上下方向に往復運動し、水平連結部４４にホルダ支持部４３を介して接続する容器ホルダ部４２もまた上下方向に往復運動する。
前記昇降手段１７もまた、昇降手段１８と同じ構成とされている。
【００１６】
前記開封刃１９，２０は、図８および図９に示すように、上端の３辺がＶ字形またはＷ字形にカットされた角筒状のものであり、上面から見て、それぞれ現像剤容器１５、定着剤容器１６の開口とほぼ同じ形状とされ、その長辺および短辺は定着剤容器１６の開口よりもやや短く（例えば、４ｍｍ程度短く）されているものである。そして、Ｖ字形またはＷ字形にカットされた上端の３辺が現像剤容器１５、定着剤容器１６の蓋材３７を切開する刃とされ、残りの１辺には蓋材３７を切開しないように凹状の切り欠き４８が形成されている。この切り欠き４８を開封刃１９，２０の上端の１辺に形成することにより、現像剤容器１５、定着剤容器１６の蓋材３７を切開したときに、蓋材３７が現像剤容器１５、定着剤容器１６から完全に切り離されて溶解部１１，１２に落下することがない。
【００１７】
前記洗浄手段２１は、給水管の先端に洗浄ノズルが設けられたものであり、開封された現像剤容器１５の内部および開封刃１９を、現像剤容器１５が現像剤供給経路１３内に降下した状態で洗浄するものである。
前記洗浄手段２２もまた、洗浄手段２１と同じ構成とされている。
【００１８】
前記搬送部２３は、図３に示すように、現像剤供給経路１３の上端の開口端面と同一平面とされ、該開口から感光材料処理液調製装置の前後方向に向かって延びる搬送路５０ａ，５０ｂと、フック５１をスライドガイド５２に沿って移動させることによって、搬送路５０ａに置かれた現像剤容器１５を現像剤供給経路１３の上端の開口に向かって移動させるスライド装置とを有するものである。
前記搬送部２４は、図３に示すように、定着剤供給経路１４の上端の開口端面と同一平面とされ、該開口から感光材料処理液調製装置の前後方向に向かって延びる搬送路５３ａ，５３ｂと、フック５４をスライドガイド５５に沿って移動させることによって、搬送路５３ａに置かれた定着剤容器１６を定着剤供給経路１４の上端の開口に向かって移動させるスライド装置とを有するものである。
【００１９】
また、スライド装置によって搬送路５０ａ上の現像剤容器１５が現像剤供給経路１３の上端の開口に向かってスライドするのに伴って、現像剤供給経路１３の上端の開口上にある空の現像剤容器１５が搬送路５０ｂ側に押し出されることにより、搬送路５０ｂ上にある空の現像剤容器１５が筐体１０の後方に押し出され、落下する。同様に、搬送路５３ｂ上にある空の定着剤容器１６も筐体１０の後方に押し出され、落下する。したがって、筐体１０の後方には、落下する空の現像剤容器１５および空の定着剤容器１６を収納する空容器収納ボックスを設けてもよい。
【００２０】
前記制御部は、処理部と、インターフェース部とを具備して概略構成され、スライド装置、昇降手段１７，１８、攪拌装置の駆動；溶解部１１，１２、洗浄手段２１，２２への給水；溶解タンク２５，２６から貯留タンク３１，３２への送液等を制御するものである。
【００２１】
インターフェイス部は、スライド装置、昇降手段１７，１８、攪拌装置の各モータ；溶解部１１，１２、洗浄手段２１，２２の各給水管に設けられた電動弁、電磁弁；溶解タンク２５，２６から貯留タンク３１，３２の間の移送管（図示略）に設けられた電動弁、電磁弁等と、処理部との間を電気的に接続するものである。
処理部は、処理部に入力された操作信号等に基づいて、各給水管、移送管に設けられた弁の開閉、調節および各モータの運転の開始、停止を制御するものである。
【００２２】
なお、この処理部は専用のハードウエアにより実現されるものであってもよく、また、この処理部はメモリおよび中央演算装置（ＣＰＵ）によって構成され、処理部の機能を実現するためのプログラムをメモリにロードして実行することによりその機能を実現させるものであってもよい。
また、制御部には、周辺機器として、入力装置、表示装置等が接続されるものとする。ここで、入力装置とは、ディスプレイタッチパネル、スイッチパネル、キーボード等の入力デバイスのことをいい、表示装置とは、ＣＲＴや液晶表示装置のことをいう。
【００２３】
次に、この感光材料処理液調製装置による処理液の調製について、定着液の調製を例にとって説明する。
まず、筐体１０上面の搬送部２４の搬送路５３ａに定着剤容器１６を、蓋材３７側を下に向けて、かつ定着剤容器１６のフランジ部３６の突起部３８が搬送方向に直交するように置く。この定着剤容器１６は、スライド装置によって定着剤供給経路１４の上端の開口に向かってスライドさせられ、該開口上に供給される。この際、昇降手段１８の容器ホルダ部４２は、図１０に示すように、スライドしながら定着剤供給経路１４の上端の開口に供給される定着剤容器１６のフランジ部３６が容器ホルダ部４２のフランジガイド４１に滑り込めるように、あらかじめ所定の位置に配置されている。
【００２４】
ついで、昇降手段１８のモータ４５を駆動させることにより、回転するクランク４６の回転端にアーム部４７によって連結されている水平連結部４４がメインフレーム４０に沿って下方向に移動し、水平連結部４４にホルダ支持部４３を介して接続する容器ホルダ部４２もまた下方向に移動する。この容器ホルダ部４２の下方向への移動によって、図１０に示すように、容器ホルダ４２が定着剤容器１６を定着剤供給経路１４内に押し下げられる。
定着剤供給経路１４内に押し下げられた定着剤容器１６の蓋材３７は、定着剤供給経路１４内に配設された開封刃２０によって切開され、定着剤容器１６は開封される。図１１に示すように、昇降手段１８のクランク４６の回転端が最下端に到達したとき、昇降手段１８のモータ４５が一旦停止し、定着剤容器１６の下降が止まる。
開封された定着剤容器１６からは、これに収納された定着剤が定着剤供給経路１４を通って、溶解部１１の溶解タンク２６に落下、供給される。
【００２５】
定着剤が定着剤容器１６から落下した後、洗浄手段２２の先端の洗浄ノズルから水を空の定着剤容器１６内に噴射させ、定着剤容器１６内部を洗浄する。所定時間、定着剤容器１６内部を洗浄した後、昇降手段１８のモータ４５を再び駆動させ、クランク機構により容器ホルダ部４２を上方向に移動させ、定着剤容器１６を定着剤供給経路１４内で上昇させる。このとき、容器ホルダ４２のフランジガイド４１が定着剤供給経路１４の上端の開口に到達する少し手前で、定着剤容器１６の上昇を一端止め、再度洗浄手段２２の先端の洗浄ノズルから水を空の定着剤容器１６内に噴射させ、定着剤容器１６の容器本体３５の開口面の外周から垂れ落ちる水によって、開封刃２０を洗浄する。所定時間、開封刃２０を洗浄した後、定着剤容器１６を定着剤供給経路１４内で再び上昇させ、容器ホルダ４２のフランジガイド４１が定着剤供給経路１４の上端の開口に到達し、定着剤容器１６が定着剤供給経路１４から出たところで、昇降手段１８のモータ４５を停止させ、定着剤容器１６の上昇を止める。
【００２６】
定着剤容器１６内部の洗浄後、または定着剤容器１６内部の洗浄と同時に、定着剤容器１６内部の洗浄に使用される量を差し引いた所定量の水を溶解タンク２６内に供給し、攪拌装置を駆動させて溶解タンク２６内を攪拌し、溶解タンク２６内に供給された定着剤を水に溶解させ、定着液を調製する。所定時間、溶解タンク２６内を攪拌した後、移送管の電磁弁を開き、定着液を貯留タンク３２に送液する。
貯留タンク３２からは、感光材料の処理機における定着液の消費量に応じて、定着液が供給管３４を通って処理機へと供給される。貯留タンク３２内の定着液が所定量以下になった場合、搬送部２４の搬送路５３ａに新たに置かれた定着剤容器１６が、スライド装置によって定着剤供給経路１４の上端の開口に向かってスライドさせられ、該開口上に供給される。このとき、定着剤供給経路１４の上端の開口上にある空の定着剤容器１６は、新たに供給された定着剤容器１６によって搬送路５３ｂへと排出される。以後、上記と同様にして、収納容器の開封、収納容器の洗浄、定着液の調製、収納容器の排出が繰り返し行われる。
また、この感光材料処理液調製装置においては、現像液の調製についても、定着液の調製と同様に行われる。
【００２７】
以上説明した感光材料処理液調製装置は、現像剤供給経路１３および定着剤供給経路１４の上端の開口に供給された現像剤容器１５および定着剤容器１６を現像剤供給経路１３内および定着剤供給経路１４内で昇降させる昇降手段１７，１８と、現像剤供給経路１３内および定着剤供給経路１４内に配設され、現像剤容器１５および定着剤容器１６を切開して開封する開封刃１９，２０と、開封された現像剤容器１５および定着剤容器１６の内部を、現像剤容器１５および定着剤容器１６がそれぞれ現像剤供給経路１３内および定着剤供給経路１４内に降下した状態で洗浄する洗浄手段２１，２２とを具備しているので、現像剤容器１５および定着剤容器１６の開封および洗浄を、現像剤容器１５および定着剤容器１６の容器本体３５の開口面が現像剤供給経路１３内および定着剤供給経路１４内に位置する状態で行うことができる。これにより、感光材料処理液調製装置と、現像剤容器１５や定着剤容器１６との間から現像剤や定着剤の微粉末、洗浄水が漏れだして、漏れだした微粉末、洗浄水が装置のまわりに飛散することがない。
【００２８】
また、洗浄手段２１，２２を具備しているので、現像剤容器１５および定着剤容器１６の洗浄を行うことができ、これら容器を処分する際に、作業者の手に現像剤や定着剤が付着することがない。
また、この感光材料処理液調製装置は、現像液および定着液を調製する溶解部１１，１２と、溶解部１１，１２から上方に延び、上端が筐体１０の上面に開口した現像剤供給経路１３、定着剤供給経路１４と、現像剤容器１５および定着剤容器１６を現像剤供給経路１３内および定着剤供給経路１４内で昇降させる昇降手段１７，１８と、現像剤供給経路１３内および定着剤供給経路１４内に配設され、現像剤容器１５および定着剤容器１６を切開して開封する開封刃１９，２０とを具備しているので、各容器の開封、現像液および定着液を調製を自動的に行うことができ、現像剤、定着剤、現像液および定着液が作業者の手に付着することがない。
【００２９】
また、現像剤容器１５および定着剤容器１６として使用される収納容器のフランジ部３６には、蓋材３７が貼着された側とは反対側に突起部３８が形成され、しかも突起部３８が、外側に傾斜した傾斜面３９を有しているので、搬送路５０ａ，５３ａや搬送路５０ｂ，５３ｂに収納容器が置かれているときに、収納容器を現像剤供給経路１３や定着剤供給経路１４から上昇させても、上昇する収納容器の突起部３８が隣の収納容器のフランジ部３６を押し上げ、収納容器の突起部３８の傾斜面３９が隣の収納容器のフランジ部３６を滑らせて隣の収納容器を外側に退けることができる。したがって、このような収納容器によれば、隣接する収納容器のフランジ部３６同士が重なり合うことがない。
【００３０】
【発明の効果】
以上説明したように、本発明の感光材料処理液調製装置は、感光材料の処理液を調製する溶解部と、溶解部から上方に延びる処理液原料供給経路と、処理液原料供給経路の上端に供給された、処理液原料が収納された容器を処理液原料供給経路内で昇降させる昇降手段と、処理液原料供給経路内に配設され、容器を切開して開封する開封手段とを具備するものであるので、処理液原料が収納された容器の開封、補充液の調製を自動化し、処理液原料や処理液が手に付着することなく、作業効率を上げることができ、しかも容器の開封時に処理液原料が装置のまわりに飛散することがない。
【００３１】
また、本発明の感光材料処理液調製装置が、さらに、開封された容器の内部を、容器が処理液原料供給経路内に降下した状態で洗浄する洗浄手段を具備するものであれば、容器の処理時に処理液原料が手に付着することなく、しかも容器の洗浄時に洗浄液が装置のまわりに飛散することがない。
また、本発明の収納容器は、開口面を有する容器本体と、前記開口面の外周の少なくとも一部に設けられたフランジ部と、前記開口面を覆うようにフランジ部に貼着された蓋材とを有し、前記フランジ部には、蓋材が貼着された側とは反対側に突起部が形成されており、前記突起部は、外側に傾斜した傾斜面を有するものであるので、隣接する収納容器のフランジ部同士が重なり合うことがなく、収納容器の昇降手段を有する感光材料処理液調製装置に好適である。
【図面の簡単な説明】
【図１】本発明の感光材料処理液調製装置の一例を示す正面断面図である。
【図２】本発明の感光材料処理液調製装置の一例を示す側断面図である。
【図３】本発明の感光材料処理液調製装置の一例を示す上面図である。
【図４】本発明の収納容器の一例を示す底面図である。
【図５】本発明の収納容器の一例を示す正面図である。
【図６】本発明の収納容器の一例を示す側面図である。
【図７】本発明の収納容器におけるフランジ部の拡大図である。
【図８】本発明の感光材料処理液調製装置における昇降手段の一例を示す正面図である。
【図９】本発明の感光材料処理液調製装置における昇降手段の一例を示す側面図である。
【図１０】本発明の感光材料処理液調製装置における容器の供給および容器の下降の様子を説明する斜視図である。
【図１１】本発明の感光材料処理液調製装置において、容器が下降して開封された様子を示す図である。
【符号の説明】
１１　溶解部
１２　溶解部
１３　現像剤供給経路（処理液原料供給経路）
１４　定着剤供給経路（処理液原料供給経路）
１５　現像剤容器（収納容器）
１６　定着剤容器（収納容器）
１７　昇降手段
１８　昇降手段
１９　開封刃（開封手段）
２０　開封刃（開封手段）
２１　洗浄手段
２２　洗浄手段
３５　容器本体
３６　フランジ部
３７　蓋材
３８　突起部
３９　傾斜面
【図１】
2004038085.tif 000003
【図２】
2004038085.tif 000004
【図３】
2004038085.tif 000005
【図４】
2004038085.tif 000006
【図５】
2004038085.tif 000007
【図６】
2004038085.tif 000008
【図７】
2004038085.tif 000009
【図８】
2004038085.tif 000010
【図９】
2004038085.tif 000011
【図１０】
2004038085.tif 000012
【図１１】
2004038085.tif 000013